(57)【要約】【課題】本発明は塵取り本体内へ導いたゴミや塵をそのままゴミ袋内へ導き、ゴミ処理が容易にできるとともに、ゴミ袋の着脱を誰でもが楽に、容易に行なうことができる塵取りを得るにある。【解決手段】底板、この底板の先端部を除く外周部を上方に突出させた両側壁および後部壁とからなる塵取り本体と、この塵取り本体の後部壁の中央部に一体あるいは固定状態で取付けられた取っ手とからなる塵取りにおいて、前記底板の先端部を除く部位に形成された透孔と、この透孔を覆うようにゴミ袋の開口部を着脱可能に取付けることができる、前記塵取り本体および前記取っ手の底面に取付けられたゴミ袋取付具とで塵取りを構成している。【選択図】  図８
2004329617.tif 000002
【特許請求の範囲】
【請求項１】
底板、この底板の先端部を除く外周部を上方に突出させた両側壁および後部壁とからなる塵取り本体と、この塵取り本体の後部壁の中央部に一体あるいは固定状態で取付けられた取っ手とからなる塵取りにおいて、前記底板の先端部を除く部位に形成された透孔と、この透孔を覆うようにゴミ袋の開口部を着脱可能に取付けることができる、前記塵取り本体および前記取っ手の底面に取付けられたゴミ袋取付具とからなることを特徴とする塵取り。
【請求項２】
底板、この底板の先端部を除く外周部を上方に突出させた両側壁および後部壁とからなる塵取り本体と、この塵取り本体の後部壁の中央部に一体あるいは固定状態で取付けられた取っ手とからなる塵取りにおいて、前記底板の先端部を除く部位に形成された透孔と、この透孔の底面側の塵取り本体の周縁部に形成されたリング状の係合凹部、この係合凹部とゴミ袋の開口部を係止させた状態で着脱可能に係止させることができるリング状の係止片とからなるゴミ袋取付具とからなることを特徴とする塵取り。
【請求項３】
底板、この底板の先端部を除く外周部を上方に突出させた両側壁および後部壁とからなる塵取り本体と、この塵取り本体の後部壁の中央部に一体あるいは固定状態で取付けられた取っ手とからなる塵取りにおいて、前記底板の先端部を除く部位に形成された透孔と、この透孔の先端部側の塵取り本体の底面に、該透孔の両端部よりも外方に位置するゴミ袋の開口部を係止する一対の係合片あるいはバー状の係合片とからなるゴミ袋取付具とからなることを特徴とする塵取り。
【発明の詳細な説明】
【０００１】
【発明の属する技術分野】
本発明は塵取りに関する。
【０００２】
【従来の技術】
従来の塵取りは底板と、この底板の先端部を除く外周部を上方へ突出させた両側壁および後部壁とからなる塵取り本体と、この塵取り本体の後部壁の中央部に一体形成された取っ手とで構成されている。
【０００３】
【発明が解決しようとする課題】
従来の塵取りはほうきで集めたゴミや塵をほうきで塵取り本体内へ位置させることができるが、塵取り本体内に位置したゴミや塵はゴミ箱やゴミ袋内へ移し替えなければならず、その作業時にゴミや塵をこぼしやすいという欠点があった。
【０００４】
本発明は以上のような従来の欠点に鑑み、塵取り本体内へ導いたゴミや塵をそのままゴミ袋内へ導き、ゴミ処理が容易にできるとともに、ゴミ袋の着脱を誰でもが楽に、容易に行なうことができる塵取りを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は底板、この底板の先端部を除く外周部を上方に突出させた両側壁および後部壁とからなる塵取り本体と、この塵取り本体の後部壁の中央部に一体あるいは固定状態で取付けられた取っ手とからなる塵取りにおいて、前記底板の先端部を除く部位に形成された透孔と、この透孔を覆うようにゴミ袋の開口部を着脱可能に取付けることができる、前記塵取り本体および前記取っ手の底面に取付けられたゴミ袋取付具とで塵取りを構成している。
【０００７】
【発明の実施の形態】
以下、図面に示す実施の形態により、本発明を詳細に説明する。
【０００８】
図１ないし図９に示す本発明の第１の実施の形態において、１はスーパーマーケットで買い物をした場合に使用されるビニール袋を、ゴミ袋２として使用することができる本発明の塵取りで、この塵取り１は底板３、この底板３の先端部を除く外周部を上方へ突出させた上部が順次後方側が高くなる両側壁４、４および後部壁５とからなる塵取り本体６と、この塵取り本体６の後部壁５の中央部に一体形成あるいは固定状態に取付けられた、下部が開口するチャンネル状の取っ手７と、前記塵取り本体６の底板３の先端部を除く部位に形成された透孔８と、この透孔８を覆うように、前記ゴミ袋２の開口部を着脱可能に取付けることができるゴミ袋取付具９とで構成されている。
【０００９】
前記ゴミ袋取付具９は前記塵取り本体６の両側壁４、４および後部壁５の外側上部に下方へ開口するように形成された凹部１０と、一端が前記取っ手７の底面に回動可能に枢支具１１で枢支され、他端部が前記凹部１０内を通過して前記透孔８の先端部側の前記塵取り本体６の底面に位置するリング状の係止片１２と、このリング状の係止片１２の他端部を着脱可能に係止する、前記透孔８の先端部側の前記塵取り本体６の両側寄りの底面に固定された一対の係合片１３、１３とで構成されている。
【００１０】
上記構成の塵取り１は、図８に示すように使用時にリング状の係止片１２の他端部を一対の係合片１３、１３との係合状態を解除し、ゴミ袋２の開口端部をリング状の係止片１２の内側より外側へ突出させて折り曲げた後、リング状の係止片１２の他端部を一対の係合片１３、１３に係合させることにより、塵取り本体６の透孔８がゴミ袋２で覆われた状態となる。
この状態でほうきで集めたゴミや塵を、塵取り本体６内からゴミ袋２内へ導くように、ほうきで操作することにより、ゴミ袋２内へ自動的に収納することができる。
ゴミ袋２内に収納されたゴミや塵が少ない場合には、ゴミ袋２の開口部２ａが閉じるように塵取り１を位置させておくことにより、ゴミ袋２に収集したゴミや塵が飛び出すのを防止できる。
また、ゴミ袋２に収納されたゴミや塵を捨てる場合には、リング状の係止片１２の他端部を一対の係合片１３、１３との係合を解除し、リング状の係止片１２からゴミ袋２を取り外し、ゴミや塵が収納されたゴミ袋２ごと捨てる。
【００１１】
【発明の異なる実施の形態】
次に、図１０ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図１０および図１１に示す本発明の第２の実施の形態において、前記本発明の第１の実施の形態と主に異なる点は、他端部のほぼ中央部に一対の係合片１３、１３との着脱を容易に行なう操作片１４を形成したリング状の係止片１２Ａを用いたゴミ袋取付具９Ａにした点で、このようなゴミ袋取付具９Ａを用いて構成した塵取り１Ａにしても、前記本発明の第１の実施の形態と同様な作用効果が得られる。
【００１３】
図１２ないし図１４に示す本発明の第３の実施の形態において、前記本発明の第１の実施の形態と主に異なる点は、塵取り本体６の透孔８の外周部に形成されたリング状の凹部１５と、このリング状の凹部１５内にゴミ袋２の開口部２ａを支持して挿入されるリング状の係止片１２Ｂと、前記リング状の凹部１５の前部および後部に、該リング状の凹部１５内へ前記リング状の係止片１２Ｂの挿入が可能で、該リング状の係止片１２Ｂを内側へ押し圧することにより、係止状態を解除することができる複数個の脱落阻止片１６、１６、１６とを用いたゴミ袋取付具９Ｂにした点で、このようなゴミ袋取付具９Ｂを用いて構成した塵取り１Ｂにしても、前記本発明の第１の実施の形態と同様な作用効果が得られる。
【００１４】
図１５ないし図１７に示す本発明の第４の実施の形態において、前記本発明の第１の実施の形態と主に異なる点は、透孔８の両端部より外側部位にフック状の一対の係合片１３Ａ、１３Ａを形成したゴミ袋取付具９Ｃを用いた点で、このようなゴミ袋取付具９Ｃは一対の係合片１３Ａ、１３Ａにゴミ袋２の一端部を係止させ、他端部を取っ手７を持つ手で支持することにより、透孔８を覆うようにゴミ袋２を位置させて使用することができる塵取り１Ｃにできる。
なお、必要に応じて塵取り本体６の両側壁４、４の外側面に仮想線で示すゴミ袋２の開口部を係止する係止片１７、１７を設けてもよい。
【００１５】
【発明の効果】
以上の説明から明らかなように、本発明にあっては次に列挙する効果が得られる。
【００１６】
（１）底板、この底板の先端部を除く外周部を上方に突出させた両側壁および後部壁とからなる塵取り本体と、この塵取り本体の後部壁の中央部に一体あるいは固定状態で取付けられた取っ手とからなる塵取りにおいて、前記底板の先端部を除く部位に形成された透孔と、この透孔を覆うようにゴミ袋の開口部を着脱可能に取付けることができる、前記塵取り本体および前記取っ手の底面に取付けられたゴミ袋取付具とで構成されているので、ゴミ袋を塵取り本体に取付けて使用することができる。
したがって、塵取り本体内へ導かれたゴミや塵をそのままゴミ袋内へ導くことができ、従来のように塵取りからゴミ袋への移し替え時にこぼしたりする不具合を確実に防止することができる。
【００１７】
（２）前記（１）によって、ゴミ袋を容易に塵取り本体に着脱させることができる。
したがって、気軽に楽に使用することができる。
【００１８】
（３）前記（１）によって、ゴミ袋内に収納されたゴミや塵が少ない場合には、ゴミ袋の開口部を塵取り本体で押し圧できるように置いておくことにより、収集したゴミや塵が飛び出したりするのを容易に防止できる。
【００１９】
（４）前記（１）によって、構造が簡単であるので、容易に製造することができる。
【００２０】
（５）請求項２、３も前記（１）〜（４）と同様な効果が得られる。
【図面の簡単な説明】
【図１】本発明の第１の実施の形態の平面図。
【図２】本発明の第１の実施の形態の底面図。
【図３】本発明の第１の実施の形態の正面図。
【図４】本発明の第１の実施の形態の背面図。
【図５】本発明の第１の実施の形態の側面図。
【図６】図１の６−６線に沿う断面図。
【図７】本発明の第１の実施の形態のゴミ袋を取付けた状態の断面図。
【図８】本発明の第１の実施の形態のゴミ袋を取付ける状態の説明図。
【図９】本発明の第１の実施の形態の使用状態の説明図。
【図１０】本発明の第２の実施の形態の底面図。
【図１１】本発明の第２の実施の形態の側面図。
【図１２】本発明の第３の実施の形態の底面図。
【図１３】本発明の第３の実施の形態の側面図。
【図１４】図１２の１４−１４線に沿う断面図。
【図１５】本発明の第４の実施の形態の底面図。
【図１６】本発明の第４の実施の形態の側面図。
【図１７】本発明の第４の実施の形態の使用状態の説明図。
【符号の説明】
１、１Ａ、１Ｂ、１Ｃ：塵取り、
２：ゴミ袋、            ３：底板、
４：側壁、              ５：後部壁、
６：塵取り本体、        ７：取っ手、
８：透孔、
９、９Ａ、９Ｂ、９Ｃ：ゴミ袋取付具、
１０：凹部、            １１：枢支具、
１２、１２Ａ、１２Ｂ：リング状の係止片、
１３、１３Ａ：係合片、  １４：操作片、
１５：リング状の凹部、  １６：脱落防止片、
１７：係止片。
【図１】
2004329617.tif 000003
【図２】
2004329617.tif 000004
【図３】
2004329617.tif 000005
【図４】
2004329617.tif 000006
【図５】
2004329617.tif 000007
【図６】
2004329617.tif 000008
【図７】
2004329617.tif 000009
【図８】
2004329617.tif 000010
【図９】
2004329617.tif 000011
【図１０】
2004329617.tif 000012
【図１１】
2004329617.tif 000013
【図１２】
2004329617.tif 000014
【図１３】
2004329617.tif 000015
【図１４】
2004329617.tif 000016
【図１５】
2004329617.tif 000017
【図１６】
2004329617.tif 000018
【図１７】
2004329617.tif 000019